【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
車両（１）に搭載された複数の受信器（１０）に接続されて、該受信器が受信した携帯端末（２０）からの電波の信号強度を取得することによって、前記携帯端末の存在位置を検出する携帯端末位置検出装置（１００，１５０）であって、
前記携帯端末は、
前記受信器からの接続要求を待ち受けていることを表す待機信号を所定周期で送信する接続待機状態と、
前記受信器からの接続要求を受け取ると前記接続待機状態から移行して、前記受信器と通信するために用いる接続情報を前記受信器との間で交換する接続情報交換状態と、
前記受信器との間で前記接続情報の交換が終了すると前記接続情報交換状態から移行して、前記接続情報を用いて前記受信器と通信する端末側通信状態と
を有しており、
前記受信器は、
前記携帯端末からの前記待機信号を受信しない休止状態と、
前記携帯端末への接続が要求されると前記休止状態から移行して、前記携帯端末からの前記待機信号を待ち受ける状態となり、所定時間の間に前記待機信号が受信できない場合には前記待機信号の待受を一旦休止した後に前記待機信号の待受を再開する動作を、前記待機信号を受信するまで繰り返す探索状態と、
前記待機信号を受信すると前記探索状態から移行して、前記携帯端末に対して前記接続要求を送信した後、前記待機信号を送信した前記携帯端末と通信するために用いる前記接続情報を前記携帯端末との間で交換する接続状態と、
前記携帯端末との間で前記接続情報の交換が終了すると前記接続状態から移行して、前記接続情報を用いて前記携帯端末と通信する通信状態と
を有しており、
携帯端末位置検出装置は、
前記複数の受信器の中の少なくとも１つの受信器に対して、前記携帯端末への接続を要求することによって、前記受信器を前記休止状態から前記探索状態へと移行させる接続要求部（１０２）と、
前記複数の受信器の中で前記携帯端末からの前記待機信号を受信して前記接続状態に移行した前記受信器である接続受信器が発生すると、該接続受信器が前記携帯端末から取得した前記接続情報を、前記接続受信器から取得する接続情報取得部（１０３）と、
前記接続受信器から取得した前記接続情報を、未だ前記携帯端末と接続していない前記受信器である未接続受信器に対して出力することによって、前記探索状態の前記未接続受信器を、前記携帯端末からの電波を受信可能な受信可能状態に移行させる接続情報出力部（１０４）と、
前記接続受信器および前記未接続受信器のそれぞれが受信した前記携帯端末からの電波の信号強度を取得する信号強度取得部（１０５）と、
前記接続受信器および前記未接続受信器から取得された前記信号強度に基づいて、前記携帯端末の存在位置を検出する存在位置検出部（１０６）と
を備える携帯端末位置検出装置。
【請求項２】
請求項１に記載の携帯端末位置検出装置（１５０）であって、
前記接続要求部は、前記複数の受信器の中の所定の受信器に対して、前記携帯端末への接続を要求し、
前記接続情報取得部は、前記所定の受信器から前記接続情報を取得する
ことを特徴とする携帯端末位置検出装置。
【請求項３】
請求項１または請求項２に記載の携帯端末位置検出装置であって、
前記探索状態の前記受信器は、前記携帯端末が前記待機信号を送信する前記所定周期とは異なる所定の周期で、前記待機信号を待ち受ける状態と前記待受を休止する状態とを繰り返す
ことを特徴とする携帯端末位置検出装置。
【請求項４】
車両（１）に搭載された複数の受信器（１０）から、該受信器が受信した携帯端末（２０）からの電波の信号強度を取得することによって、前記携帯端末の存在位置を検出する携帯端末位置検出方法であって、
前記携帯端末は、
前記受信器からの接続要求を待ち受けていることを表す待機信号を所定周期で送信する接続待機状態と、
前記受信器からの接続要求を受け取ると前記接続待機状態から移行して、前記受信器と通信するために用いる接続情報を前記受信器との間で交換する接続情報交換状態と、
前記受信器との間で前記接続情報の交換が終了すると前記接続情報交換状態から移行して、前記接続情報を用いて前記受信器と通信する端末側通信状態と
を有する携帯端末であり、
前記受信器は、
前記携帯端末からの前記待機信号を受信しない休止状態と、
前記携帯端末への接続が要求されると前記休止状態から移行して、前記携帯端末からの前記待機信号を待ち受ける状態となり、所定時間の間に前記待機信号が受信できない場合には前記待機信号の待受を一旦休止した後に前記待機信号の待受を再開する動作を、前記待機信号を受信するまで繰り返す探索状態と、
前記待機信号を受信すると前記探索状態から移行して、前記携帯端末に対して前記接続要求を送信した後、前記待機信号を送信した前記携帯端末と通信するために用いる前記接続情報を前記携帯端末との間で交換する接続状態と、
前記携帯端末との間で前記接続情報の交換が終了すると前記接続状態から移行して、前記接続情報を用いて前記携帯端末と通信する通信状態と
を有する受信器であり、
携帯端末位置検出方法は、
前記複数の受信器の中の少なくとも１つの受信器に対して、前記携帯端末への接続を要求することによって、前記受信器を前記休止状態から前記探索状態へと移行させる工程（Ｓ１０１，Ｓ１５１）と、
前記複数の受信器の中で前記携帯端末からの前記待機信号を受信して前記接続状態に移行した前記受信器である接続受信器が発生すると、該接続受信器が前記携帯端末から取得した前記接続情報を、前記接続受信器から取得する工程（Ｓ１０４、Ｓ１５４）と、
前記接続受信器から取得した前記接続情報を、未だ前記携帯端末と接続していない前記受信器である未接続受信器に対して出力することによって、前記探索状態の前記未接続受信器を、前記携帯端末からの電波を受信可能な受信可能状態に移行させる工程（Ｓ１０５、Ｓ１５５）と、
前記接続受信器および前記未接続受信器のそれぞれが受信した前記携帯端末からの電波の信号強度を取得する工程（Ｓ１０６、Ｓ１０７、Ｓ１５６、Ｓ１５７）と、
前記接続受信器および前記未接続受信器から取得された前記信号強度に基づいて、前記携帯端末の存在位置を検出する工程（Ｓ１０８、Ｓ１５８）と
を備える携帯端末位置検出方法。
【手続補正２】
【補正対象書類名】明細書
【補正対象項目名】０００７
【補正方法】変更
【補正の内容】
【０００７】
上述した課題を解決するために本発明の携帯端末位置検出装置、および携帯端末位置検出方法では、次のような状態を経て携帯端末と通信可能となる受信器を使用すると共に、次のような状態を経て受信器と通信可能となる携帯端末の存在位置を検出する。先ず、携帯端末は、受信器からの接続要求を待ち受けていることを表す待機信号を所定周期で送信する接続待機状態を有しており、接続待機状態で受信器からの接続要求を受け取ると、受信器と通信するために用いる接続情報を受信器との間で交換する接続情報交換状態に移行する。そして、受信器との間で接続情報の交換が終了すると、接続情報交換状態から移行して、接続情報を用いて受信器と通信可能な端末側通信状態となる。また、受信器は、携帯端末からの待機信号を受信しない休止状態を有しており、携帯端末への接続が要求されると、休止状態から探索状態に移行する。この探索状態では、携帯端末からの待機信号を待ち受ける状態となり、所定時間の間に待機信号が受信できない場合には、待機信号の待受を一旦休止した後に待機信号の待受を再開する動作を、待機信号を受信するまで繰り返す。そして、探索状態で待機信号を受信すると接続状態に移行して、携帯端末に対して接続要求を送信した後、待機信号を送信した前記携帯端末と通信するために用いる接続情報を携帯端末との間で交換する。更に、携帯端末との間で接続情報の交換が終了すると、接続状態から移行して、接続情報を用いて携帯端末と通信可能な通信状態となる。そして、本発明の携帯端末位置検出装置、および携帯端末位置検出方法では、複数の受信器の中の少なくとも１つの受信器が接続状態になって接続受信器になると、その接続受信器が携帯端末と接続するために取得した接続情報を、その接続受信器から取得する。そして、取得した接続情報を、未だ携帯端末と接続していない未接続受信器に対して出力することによって、それらの未接続受信器を、携帯端末からの電波を受信可能な状態とする。こうして複数の未接続受信器を受信可能な状態とした後、接続受信器および未接続受信器が受信した携帯端末からの電波の信号強度を取得して、携帯端末の存在位置を検出する。